(57)【要約】  太陽光発電パネルに安全スイッチを設けることによって太陽光発電システムに伴う安全リスクを減らすための装置及び方法に関する。一実施形態において、太陽光発電パネルは、少なくとも一つの太陽光発電セルと、太陽光発電パネルからのエネルギーを出力するためのコネクタと、少なくとも一つの太陽光発電セルとコネクタとの間に連結されているスイッチとを備える。スイッチが、太陽光発電パネルの設置中には、少なくとも一つの太陽光発電セルとコネクタとの接続を切るように、かつ、太陽光発電パネルの設置後には、少なくとも一つの太陽光発電セルとコネクトとを接続するように構成されている。【選択図】図１
2011503846.tif 000002
【特許請求の範囲】
【請求項１】
太陽光発電パネルであって、
少なくとも一つの太陽光発電セルと、
当該太陽光発電パネルからのエネルギーを出力するコネクタと、
前記少なくとも一つの太陽光発電セルと前記コネクタとの間に連結されているスイッチと、
を備え、
前記スイッチが、当該太陽光発電パネルの設置中に、前記少なくとも一つの太陽光発電セルと前記コネクタとの接続を切るように構成されており、
前記スイッチが、当該太陽光発電パネルの設置後に、前記少なくとも一つの太陽光発電セルと前記コネクタとを接続するように構成されている、太陽光発電パネル。
【請求項２】
前記コネクタを収容する接続ボックスを更に備え、
前記スイッチが前記接続ボックスに組み込まれている、請求項１に記載の太陽光発電パネル。
【請求項３】
前記スイッチが、取外し可能な部分を備えており、前記取り外し可能な部分が取り外されると、前記少なくとも一つの太陽光発電セルと前記コネクタとが接続される、請求項１に記載の太陽光発電パネル。
【請求項４】
前記スイッチが、第１の導電性接触子及び第２の導電性接触子を更に備えており、
前記取外し可能な部分が、誘電性隔離板を備えており、
前記誘電性隔離板が前記第１の導電性接触子と前記第２の導電性接触子との間に挿入されると、前記スイッチが接続されず、
前記誘電性隔離板が取り外されると、前記スイッチが接続される、請求項３に記載の太陽光発電パネル。
【請求項５】
前記第１の導電性接触子及び前記第２の導電性接触子が、互いに向かって押圧されるばねである、請求項４に記載の太陽光発電パネル。
【請求項６】
前記取外し可能な部分が、前記誘電性隔離板に取り付けられているフラグを更に備える、請求項４に記載の太陽光発電パネル。
【請求項７】
前記フラグが、可視的な感電注意の表示を有する、請求項６に記載の太陽光発電パネル。
【請求項８】
前記スイッチがリードスイッチからなり、前記取外し可能な部分がマグネットを備える、請求項３に記載の太陽光発電パネル。
【請求項９】
前記リードスイッチが常閉型のリードスイッチである、請求項８に記載の太陽光発電パネル。
【請求項１０】
前記スイッチが、当該光センサによって検出されたライトに基づいて前記スイッチを入れたり切ったりする光センサを備えており、
前記取外し可能な部分が、前記光センサを遮断するように構成されているプルタブを備える、請求項３に記載の太陽光発電パネル。
【請求項１１】
前記スイッチが、半導体スイッチデバイス又はリレーを備える、請求項１０に記載の太陽光発電パネル。
【請求項１２】
前記半導体スイッチデバイスが電界効果トランジスタ（ＦＥＴ）を備える、請求項１０に記載の太陽光発電パネル。
【請求項１３】
前記少なくとも一つの前記太陽光発電セルが前記光センサに電力を供給する、請求項１０に記載の太陽光発電パネル。
【請求項１４】
前記スイッチが、リレーと、前記リレーを制御する配線用コネクタとを備える、請求項１に記載の太陽光発電パネル。
【請求項１５】
インバータからの負荷を検出する回路を更に備え、
前記スイッチが、前記回路がインバータからの負荷を検出したときには、前記太陽光発電パネルの出力を前記コネクタに接続させ、インバータからの負荷がない場合、前記出力を切断する、請求項１に記載の太陽光発電パネル。
【請求項１６】
複数の太陽光発電セルの出力を調節する電圧モジュールと、
前記電圧モジュールに連結されて、選択的な出力を可能とするスイッチと、
を備える、太陽光発電パネルモジュール。
【請求項１７】
前記電圧モジュールが、交流電流を出力する、請求項１６に記載の太陽光発電パネルモジュール。
【請求項１８】
前記スイッチが、半導体スイッチ、リレー、リードスイッチ及びばね式スイッチのいずれか一つを備える、請求項１６に記載の太陽光発電パネルモジュール。
【請求項１９】
前記スイッチが、前記スイッチの状態を制御する光センサを備える、請求項１６に記載の太陽光発電パネルモジュール。
【請求項２０】
前記スイッチの状態を制御する配線用コネクタを更に備える、請求項１６に記載の太陽光発電パネルモジュール。
【発明の詳細な説明】
【関連出願】
【０００１】
[0001]  本願は、２００７年１１月２付けで提出された名称が「太陽光発電用安全スイッチ」である米国仮出願番号第６１／００１５８７及び２００８年１０月２０日付けで提出された米国出願番号第１２／２５４７８０の優先権を主張し、これらの出願の内容は参照によりここに組み込まれる。
【技術分野】
【０００２】
[0002]  ここに記載されている少なくともいくつかの実施形態は、太陽光発電システムに関し、特に、太陽光発電システムの輸送、取付け及び／又はメンテナンスのための安全デバイスに関する。
【背景技術】
【０００３】
[0003]  太陽光発電パネル又は積層品が光を検出又は発散するために露出されていると、致命的な電圧がかかっている可能性がある。アメリカにおいて、可能な電圧が、６００ボルトもあり得るが、ヨーロッパ及び他の国では、この電圧が１キロボルトに近いにあり得る。
【０００４】
[0004]  感電による潜在的な危険性のため、ソーラーパネルの製造工場及び標準規格開発組織は、この危険性を最小限に又は排除するためにいくつか提案を出している。
【０００５】
[0005]  一提案は、ターポリンのような不透明な材料で太陽光発電パネルをカバーすることである。しかしながら、このアプローチは独自の安全リスクをもたらしており、風によって、ターポリンが飛ばされたり、設置作業員が風に逆らって不安定なシートをコントロールしながら屋根に立つことが困難となったりする。
【０００６】
[0006]  他の提案は、作動中のパネルにおけるリスクが最小限となる夜に、太陽光発電パネルを設置及び／又は補修することである。このアプローチには、明るくない環境下でも発電することに伴う潜在的な安全リスクが存在する。
【０００７】
[0007]  潜在的な人体安全問題に加えて、装置及び機械設備への著しいリスクも存在する。電圧が印加されているプラグを接続又は切り離すと、アーク放電が起き、それらのコネクタ、接続ボックス及び他の電気部品がダメージを受ける。
【発明の概要】
【発明が解決しようとする課題】
【０００８】
[0008]  太陽光発電パネルに安全スイッチを設けることによって、太陽光発電システムに伴う安全リスクを減らす装置及び方法を提供する。いくつかの実施形態がこの部分に要約されている。
【課題を解決するための手段】
【０００９】
[0009]  一実施形態において、太陽光発電パネルは、少なくとも一つの太陽光発電セルと、太陽光発電パネルからのエネルギーを出力するためのコネクタと、少なくとも一つの太陽光発電セルとコネクタとの間に接続されているスイッチとを備える。スイッチは、太陽光発電パネルの設置中に、その少なくとも一つの太陽光発電セルとコネクタとの接続を切るように構成されており、さらに、太陽光発電パネルの設置後に、その少なくとも一つの太陽光発電セルとコネクタとを接続するように構成されている。
【００１０】
[0010]  一実施形態において、太陽光発電パネルは、コネクタを収容する接続ボックスを更に備えており、スイッチは、接続ボックスに組み込まれている。
【００１１】
[0011]  一実施形態において、スイッチは、第１の導電性接触子と、第２の導電性接触子と、少なくとも一つの太陽光発電セルとコネクタとを接続するとき取り外される取外し可能な部分とを備える。例えば、取外し可能な部分は誘電性隔離板を含んでもよく、誘電性隔離板が第１の接触子と第２の接触子との間に挿入されると、スイッチは非導通状態となり、かつ、誘電性隔離板が取り外されると、スイッチは導通状態となる。一実施形態において、第１の導電性接触子及び第２の導電性接触子は、互いに向かって押圧されるばねである。
【００１２】
[0012]  一実施形態において、取外し可能な部分は、誘電性隔離板に取り付けられているフラグを更に備える。フラグは、可視的な感電注意表示を有してもよい。
【００１３】
[0013]  一実施形態において、スイッチはリードスイッチを含み、取外し可能な部分はマグネットを含む。リードスイッチは、常閉型のリードスイッチ又は常開型のリードスイッチであってもよい。
【００１４】
[0014]  一実施形態において、スイッチは、その光センサによって検出されたライトに基づいてスイッチを入れたり切ったりする光センサを含み、取外し可能な部分は、光センサを遮断するように構成されているプルタブを含む。少なくとも一つの太陽光発電セルが光センサに電力を供給するために用いられてもよい。
【００１５】
[0015]  一実施形態において、スイッチは、半導体スイッチデバイス（例えば、電界効果トランジスタ（ＥＦＴ））又はリレーを更に含む。
【００１６】
[0016]  一実施形態において、スイッチは、リレーと遠隔位置からリレーを制御する配線用コネクタとを含む。
【００１７】
[0017]  一実施形態において、太陽光発電パネルは、インバータからの負荷を検出する回路を更に含む。スイッチは、回路がインバータからの負荷を検出した場合には、太陽光発電パネルの出力をコネクタに接続させ、かつ、インバータからの負荷がない場合には、出力を切断する。
【００１８】
[0018]  一実施形態において、太陽光発電パネルモジュールは、太陽光発電セルの出力を調節する電圧モジュールと、電圧モジュールに接続されて、選択的な出力を可能とするスイッチとを含む。一実施形態において、電圧モジュールは、交流電流（ＡＣ）を出力する。スイッチは、半導体スイッチ、リレー、リードスイッチ、ばね式のスイッチ及び／又はスイッチの状態を制御する光センサを含む。
【００１９】
[0019]  一実施形態において、太陽光発電パネルは、スイッチの状態を制御する配線用コネクタを更に含む。
【００２０】
[0020]  方法とこれらの方法を実施する装置とを含むこの開示は、これらの方法を実施するデータ処理システムと、コンピュータ読取可能なメディアとを含む。このコンピュータ読取可能なメディアは命令を含んでおり、この命令がデータ処理システム上で実行されることによって、システムがこれらの方法を実施することができる。
【００２１】
[0021]  他の特徴は、添付図面及び以下の詳細な説明から明らかとなる。
【００２２】
[0022]  実施形態は、例示的に示されているが、添付図面の特徴に限定するものではない。添付図面において、同じ参照番号は同じ要素を表す。
【図面の簡単な説明】
【００２３】
【図１】一実施形態による、安全スイッチを有するソーラーパネルを示す。
【図２】一実施形態による、太陽光発電パネル用のばね式安全スイッチを示す。
【図３】他の実施形態による、太陽光発電パネル用のばね式安全スイッチを示す。
【図４】他の実施形態による、太陽光発電パネル用のばね式安全スイッチを示す。
【図５】他の実施形態による、太陽光発電パネル用のばね式安全スイッチを示す。
【図６】一実施形態による、太陽光発電パネル用のリードスイッチを有する接続ボックスを示す。
【図７】他の実施形態による、太陽光発電パネル用のリードスイッチを有する接続ボックスを示す。
【図８】一実施形態による、太陽光発電パネル用の安全スイッチを制御する光センサを示す。
【図９】一実施形態による、補助配線を介して制御されている安全スイッチを有するソーラーパネルを示す。
【発明を実施するための形態】
【００２４】
[0028]  以下の説明及び図面は、例示のためのものであり、制限的なものとして解釈されるべきものではない。完全に理解してもらうために、多くの具体的な詳細を記載した。しかし、場合によって、説明が分かりにくくなることを避けるために、周知の詳細又は従来の詳細については記載していない。この開示における一実施形態への参照は、必ずしも同一の実施形態への参照ではなく、少なくとも一つを意味する。
【００２５】
[0029]  この開示の一実施形態では、不透明な材料で太陽光発電システムをカバーする又は夜に太陽光発電システムを動かすような他のアプローチに伴うリスクを生じることなく、太陽光発電システムの輸送、設置及び／又はメンテナンス中における安全リスクを減らすための方法及びシステムを提供する。
【００２６】
[0030]  一実施形態において、交流電流（ＡＣ）モジュール又は直流電流（ＤＣ）モジュールを用いるとき、パネルモジュールに一体の常閉型のスイッチ、又は、パネル接続ボックスに一体の常閉型のスイッチを介在させることによって、安全保護が可能となる。
【００２７】
[0031]  図１は、一実施形態による安全スイッチを有するソーラーパネルを示す。図１において、ソーラーパネル１０（例えば、太陽光発電パネル）は、直射日光又は散光に露出されたときに発電する少なくとも一つのソーラーセル１２（例えば、太陽光発電セル）と、場合によっては、出力電圧を調整又は調節する電圧モジュール１４（他の場合には、電流を調節する電流モジュール）と、ソーラーパネルの出力コネクタからソーラーセル１２を選択的に隔離するスイッチ１６とを含む。他の場合においては、スイッチが電圧モジュール１４のようなレギュレータモジュールに組み込まれてもよい。
【００２８】
[0032]  一実施形態において、スイッチ１６は、常閉型のスイッチである。輸送、設置及び／又はメンテナンス中に、ソーラーセル１２を出力から隔離するために、スイッチ１６は開状態に置かれる。設置又はメンテナンスの後、スイッチ１６が閉状態とされることにより、ソーラーセル１２はソーラーパネルの出力コネクタを作動させ、ソーラーパネルの出力コネクタを通って電力が供給される。
【００２９】
[0033]  スイッチ１６及び電圧モジュールは、ソーラーパネルの接続ボックスに組み込むことができる。他の実施形態において、パネルモジュールのように電圧モジュール１４にスイッチ１６が組み込まれる。
【００３０】
[0034]  図２〜図５は、一実施形態による、太陽光発電パネル用ばね式安全スイッチを示す。図２〜図５において、スイッチは、導電性材料又はめっきされた混成物からなる２つの接触子１０２及び１０３を含む。接触子１０２及び１０３は、ばね合金で一般的に作られ、又は、一体のばね式プランジャの構成を有する（図示せず）。接触子１０２及び１０３は、接触子１０２及び１０３が、２つの接触子１０２と１０３との間の電気的導通状態を維持するために、２つの接触子１０２及び１０３が互いに向かって押圧されるばねであるような方法で、配置又は固定されている。したがって、スイッチは常閉（ＮＣ）にあり、設置又はメンテナンス用の安全モードにない。
【００３１】
[0035]  図２において、設置又はメンテナンス用の安全モードは、接触子１０２と１０３との間にブレード１０４を挿入することによって達成される。ブレード１０４は、誘電性材料で作られており、２つの接触子１０２と１０３との間に挿入されると、接触子１０２と接触子１０３との間は電気的非導通状態となる。
【００３２】
[0036]  図２に示すように、ブレード１０４は、それに取り付けられているフラグ１０５を有してもよい。パネルの状態が見える表示装置を提供するために、フラグ１０５は、赤又は他の目立つ色にすることができる。
【００３３】
[0037]  一実施形態において、一体のモジュールを有する複数又は一つのパネルは、ブレード１０４及びフラグ１０５を有する状態で工場から輸送されてくる。尚、ブレード１０４は２つの接触子１０２と１０３との間に挿入されている。ブレード１０４があり、フラグ１０５が可視的な状態で、パネルが設置され、一体化されている。取付作業員は、接地作業を含む、取付作業、固定作業及び、システムの全ての接続における差込接続作業を行う。
【００３４】
[0038]  図３に示すように、設置が完了すると、取付作業員は、フラグ１０５によって示される全ての位置におけるブレード１０４を取り除く。ブレード１０４が取り除かれると、ばね式の接触子１０２及び１０３が互いに接し、太陽光発電セルから太陽光発電パネルの出力コネクタへの電気路を作る。
【００３５】
[0039]  追加作業又はトラブル解決作業が必要なとき、ブレード１０４及びフラグ１０５は、ブレード１０４のテーパ部２０７を使って再挿入され、これによって、接点２０６において接触子１０２と１０３との間の電気的導通状態を切断する。
【００３６】
[0040]  いくつかの実施形態において、接触子１０２及び１０３は対称状態にある。他の実施形態において、接触子１０２及び１０３は同様な又は類似なものではない。接触子１０２及び１０３は、導電性材料で作られており、ブレード１０４が取り外された後、導電路２０６が保持されるよう互いに物理的に接するように構成されている。少なくともいくつかの実施形態において、ブレード１０４が接触子１０２と１０３との間に挿入されていない状態において、導電路２０６が保持されており、その後、接触子１０２と１０３との間に挿入されるブレードによって不通となり、更に、ブレード１０４のような誘電性デバイスの再挿入によって回復される。
【００３７】
[0041]  フラグ１０５によって提供されるパネルモードの可視的な表示に加えて、フラグは、例えば「作業前に取り外すこと」又は致死可能電圧に注意のようなテキストの形で情報を提供することもできる。
【００３８】
[0042]  図４は、太陽光発電パネルの接続ボックス３０８に組み込まれているばね式スイッチの構造を示す。接続ボックス３０８は、太陽光発電パネルによって発電されるソーラー電力をケーブル３０７にて負荷（例えば、インバータ、電圧バス等）に接続するためのコネクタを含む。したがって、ブレード１０４がスイッチに挿入され、フラグ１０５が見える状態になっていると、ソーラーセルによって発電される電圧は、ケーブル３０７に対してコネクタから隔離されており、したがって、太陽光発電パネルを設置すること又は太陽光発電パネル上でメンテナンス作業を行うことが安全である。
【００３９】
[0043]  図５は、太陽光発電パネルの接続ボックスル及びばね式スイッチの構成要素を示す。図５に示すように、接続ボックス３０８は、開口部４０９を有し、これによって、ブレード１０４を取り外すように又はブレード１０４を再挿入するようにアクセスすることができる。スイッチの接触子１０３は、部分４０１を接続ボックス３０８のサポート部材（例えばプリント回路基板（ＰＣＢ））に固定することによって、接続ボックス３０８に取り付けられる。
【００４０】
[0044]  図６及び図７は、一実施形態による、太陽光発電パネル用リードスイッチを有する接続ボックスを示す。図６は、太陽光発電の接続ボックス３０８に組み込むマグネット及びリードスイッチ５１０のアセンブリを示す。図７は、接続ボックス３０８の部分５０９の中に設置されるマグネット５１２及び５１１並びにリードスイッチ５１０を示す切欠き図である。
【００４１】
[0045]  図７において、常開型リードスイッチに接近して、バイアス用固定マグネット５１１を接続ボックス３０８に組み込むことによって、リードスイッチ５１０は常閉状態となり、よって、マグネット５１２がない場合、スイッチ５１０は閉状態にある。
【００４２】
[0046]  一実施形態において、マグネット５１２が接続ボックス凹部５０９に挿入されると、逆磁極性が磁力線を打ち消し合い、リードスイッチ５１０が開状態となる。
【００４３】
[0047]  一実施形態において、マグネット５１２は、工場において接続ボックス凹部５０９に設置されており、かつ、フラグ１０５（図６及び図７に図示せず）は、マグネット５１２に取り付けられている。マグネット５１２は、接続ボックス凹部５０９を通して除去及び／又は再挿入可能である。
【００４４】
[0048]  他の実施形態において、常開（ＮＯ）リード接点５１０及びマグネット５１１に代えて常閉（ＮＣ）リード接点を用いることができ、これにより、追加的な固定マグネットを設ける必要がなくなる。
【００４５】
[0049]  設置及び組込みが完了すると、マグネット５１２は取り除かれ、捨てられてもよい。その後、リードスイッチ５１０が閉状態にあると、接続ボックス３０８の電力リード線は、半導体スイッチ又はリレー（図示せず）を介して電力が与えられる。
【００４６】
[0050]  いくつかの実施形態において、半導体スイッチ（図７に図示せず）は、接続ボックス３０８の電力リード線に電力を与えるために用いることができる。パネル接続ボックス３０８又はインバータ（図７に図示せず）は、配線（string）へのパネル出力の接続を保持するために定期的に（ｔ時間間隔おきに）信号を送るように構成されている監視回路を有するコントローラーユニットを含んでもよい。この信号が、時間切れ又は消滅すると、パネルの出力は、半導体スイッチデバイス（図示せず）にて切断される。
【００４７】
[0051]  図８は、一実施形態による、太陽光発電パネル用安全スイッチを制御するための光センサを示す。図８において、光センサ７０１を有する光センサユニット７００が、プリント回路基板（ＰＣＢ）７１１上に取り付けられている。更に、ばね７０２及び７１２は、所定の位置に隔離板７０３を保持しており、その隔離板７０３は、矢印７０４の方向において、前述のフラグ１０５と同様なプルタブを用いて取り外すことができる。外部エンクロージャは、図８に示されていないが、ケーブル接続のような機械的な要素及び、隔離板７０３をそのユニットの中へ又は外へ案内するためのガイド要素を収容する。
【００４８】
[0052]  一実施形態において、更なる回路系（図８に図示せず）が、ＰＣＢ７１１の面にある。その回路系は、いくつかの場合においてはＦＥＴ（電界効果トランジスタ）トランジスタによって、又は、他の場合においては双安定リレーのようなリレーを用いて、スイッチをオン又はオフするように作用する回路、又は、他の適当な回路のようなものである。動作電力は、ソーラーシステムから引いてもよく、補助配線によってもたらしてもよい。
【００４９】
[0053]  いくつかの他の実施形態において、リレーは、補助ワイヤで回路を閉開することによって簡単に遠隔制御され得る。このアプローチの利点は、プルタブ（フラグ又はブレード）を完全になくすことができる。
【００５０】
[0054]  一実施形態において、メカニズム及び／又は回路系がパネルに組み込まれており、負荷が検出されたとき、インバータからの負荷を確認し、パネルをパネル出力に接続する。負荷がないときは、パネル出力は切断される。また、この機能は、半導体スイッチデバイス又は（リレーのような）他の適当なデバイス、及びいくつかのセンサ回路系を用いて履行され、経路を閉じるべき場合、負荷が接続された場合、自動的に再接続され得る。
【００５１】
[0055]  図９は、一実施形態による、補助配線を介して制御される安全スイッチを有するソーラーパネルを示す。図９において、遠隔位置からスイッチ１６を制御するために、別個のワイヤが接続されている。例えば、スイッチは、監視回路からの信号、遠隔スイッチ又はコントローラー等からの信号によって制御されてもよい。
【００５２】
[0056]  上の明細書において、具体的な実施形態を参照しながら説明した。特許請求の範囲に記載のような範囲及び上位概念から離れることなく、様々な改良が行われることは明らかである。したがって、明細書及び図面は、制限的な意味より説明の意味で考えるべきである。
【図１】
2011503846.tif 000003
【図２】
2011503846.tif 000004
【図３】
2011503846.tif 000005
【図４】
2011503846.tif 000006
【図５】
2011503846.tif 000007
【図６】
2011503846.tif 000008
【図７】
2011503846.tif 000009
【図８】
2011503846.tif 000010
【図９】
2011503846.tif 000011
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
少なくとも一つの太陽光発電セルを有する太陽光発電パネル用のモジュールであって、
前記太陽光発電パネルの前記少なくとも一つの太陽光発電セルによって発電されるエネルギーを出力するコネクタと、
前記少なくとも一つの太陽光発電セルと前記コネクタとの間に接続されているスイッチと、
を備えており、
前記スイッチが、遠隔ユニットからの定期的な信号によって制御されており、
定期的な前記信号が存在する場合、前記スイッチが、前記少なくとも一つの太陽光発電セルを前記コネクタに接続させ、かつ、前記信号が時間切れした場合、前記スイッチが、前記少なくとも一つの太陽光発電セルと前記コネクタとの接続を切る、モジュール。
【請求項２】
前記スイッチを制御する監視回路と、
前記コネクタ、前記スイッチ及び前記監視回路を収容する接続ボックスと、
を更に備える、請求項１に記載のモジュール。
【請求項３】
前記スイッチが、半導体スイッチデバイス又はリレーからなる、請求項１に記載のモジュール。
【請求項４】
前記半導体スイッチデバイスが電界効果トランジスタからなる、請求項３に記載のモジュール。
【請求項５】
前記スイッチを制御するコントローラと、
少なくとも一つの太陽光発電セルの出力を調節する電圧モジュールと、
を更に備える、請求項１に記載のモジュール。
【請求項６】
複数の太陽光発電セルの出力を調節する電圧モジュールを更に備える、請求項１に記載のモジュール。
【請求項７】
前記電圧モジュールが、交流電流を出力する、請求項６に記載のモジュール。
【請求項８】
前記スイッチが、
半導体スイッチ、リレー、リードスイッチ及びばね式スイッチのいずれか一つと、
前記スイッチの状態を制御する光センサと、
を備える、請求項６に記載のモジュール。
【請求項９】
定期的な前記信号が、配線を介して当該モジュールに接続されている、請求項６に記載のモジュール。
【請求項１０】
インバータからの負荷を検出するように構成されている回路を更に備え、
前記スイッチが、前記回路によって検出される負荷がない場合、前記出力を切断するように構成されている、請求項６に記載のモジュール。
【請求項１１】
太陽光発電パネルであって、
複数の太陽光発電セルと、
当該太陽光発電パネルの前記複数の太陽光発電セルによって発電されるエネルギーを出力するコネクタと、
インバータからの負荷を検出する回路と、
前記回路がインバータからの負荷を検出した場合、前記複数の太陽光発電セルを前記コネクタに接続させるように、かつ、前記回路がインバータからの負荷を検出しなかった場合、前記複数の太陽光発電セルと前記コネクタとの接続を切るように、前記回路に連結されているスイッチと、
を備える、太陽光発電パネル。
【請求項１２】
前記コネクタを収容する接続ボックスを更に備え、
前記スイッチが前記接続ボックスに組み込まれている、請求項１１に記載の太陽光発電パネル。
【請求項１３】
前記スイッチが、半導体スイッチデバイス又はリレーを備える、請求項１１に記載の太陽光発電パネル。
【請求項１４】
前記半導体スイッチデバイスが電界効果トランジスタ（ＦＥＴ）を備える、請求項１３に記載の太陽光発電パネル。
【請求項１５】
少なくとも一つの太陽光発電セルの出力を調節する電圧モジュールを更に備える、請求項１１に記載の太陽光発電パネル。 
【国際調査報告】
2011503846.tif 000012
2011503846.tif 000013